(57)【要約】スキー・ブーツは、本質的に剛性の外側ブーツ、およびスキーヤの足を受けるための軟性の内側ブーツ（４９）または内側ライニングを備えている。外側ブーツのソール（１３）は、本質的に剛性の材料、好ましくはプラスチックで作成され、ソール（１３）の中足骨領域内に弾性ゾーン（１５）を備えている。弾性ゾーン（１５）は、ソール（１３）を前および後ソール部分（１９、１７）に分割する。中間上方シェル部分（２９）は、外側ブーツの前部と後部のシェル（２７、２１）の間に設けられ、前および後シェル部分（２７、２１）が互いに対して回転可能であるように設計されている。かかと部（２３）および後ソール部分（１７）は、最大の力をブーツの弾性ゾーン（１５）に加えることができるように、本質的に剛性の関係に設計されている。スキーヤが前進を習得する場合は、前および後シェル部分（２７、２１）が互いに対して回転する。すねを剛性のスポイラ・シャフト（２５）に固定しているため、スキーヤのくるぶしが、ねじれたり曲げたりされずにしっかり支えられ、したがって、スキーヤの重心を最も好ましい運動的に効率のよい位置に維持することができる。
2004527326.tif 000002
【特許請求の範囲】
【請求項１】
本質的に剛性の外側ブーツ、およびスキーヤの足を受けるための軟性の内側ブーツ（４９）すなわち内側ライニングと、外側ブーツに対して内側ブーツまたはライニングによって受けられたスキーヤのかかとおよびすねを取付けまたは固定するための取付けまたは締付け手段とを備え、
外側ブーツは、
ソール（１３）、
ソール（１３）に固定され足の後部を受けるように構成された後シェル部分（２１）、および
ソール（１３）に固定され、足の前部を受けるように設計された少なくとも１つの前シェル部分（２７）を備え、
後シェル部分は、かかと部（２３）、およびソール（１３）から上方に延びスキーヤのすねの骨幹に沿って少なくともその後ろで延びるように構成されたシャフト（２５）を備えたスキー・ブーツであって、
外側ブーツのソール（１３）は、本質的に剛性の材料、好ましくはプラスチックで作成され、ソール（１３）を前および後ソール部分（１９、１７）に分割する、ソール（１３）の中足骨領域内の弾性ゾーン（１５）を備え、
中間上方シェル部分（２９）は、外側ブーツの前と後シェル部分（２７、２１）の間に設けられ、前および後シェル部分（２７、２１）が互いに対して曲げ可能であるように設計され、
かかと部（２３）、シャフト（２５）、および後ソール部分（１７）は、本質的に剛性の関係に設計され、
取付けまたは固定手段が少なくとも、
くるぶし領域の周りで延び、くるぶしおよびかかとを後かかと部（２３）内に固定するための少なくとも１つのくるぶし部固定および取付け手段（３９）と、
脛骨または内側ブーツ・シャフトの周りで延び、すねをシャフト（２５）に好ましくは少しの遊びまたは遊びなしで取付けるための、少なくとも第１のすね部固定および取付け手段（４１）を備えることを特徴とするスキー・ブーツ。
【請求項２】
外側ブーツの両側に、かかと部（２３）、シャフト（２５）、および後ソール部分（１７）の間で延びる、好ましくは本質的に変形不可能な側部シェル部分（４０、４２）が設けられていることを特徴とする請求項１に記載のスキー・ブーツ。
【請求項３】
外側ブーツのかかと部（２３）、シャフト（２５）、および後ソール部分（１７）が、本質的に非可撓性プラスチックで作成されて、かかと部（２３）、シャフト（２５）、および後ソール部分（１７）が、剛性または本質的に非可撓性のアセンブリを形成することを特徴とする請求項１または２に記載のスキー・ブーツ。
【請求項４】
弾性ゾーン（１５）の弾性が、屈曲ソール（１３）が中立平面の位置に戻る傾向をもつようになされていることを特徴とする請求項１ないし３のいずれかに記載のスキー・ブーツ。
【請求項５】
弾性ゾーン（１５）が、中足骨部内の横方向軸の周りの曲げを可能にすることを特徴とする請求項１ないし４のいずれかに記載のスキー・ブーツ。
【請求項６】
弾性ゾーン（１５）が、横方向軸の周りで曲がる他に、ブーツの長手方向軸（１２７）の周りで前ソール部分（１９）に対して後ソール部分（１７）のねじりが横側には可能であるが、内側には制限または阻止されるように設計されていることを特徴とする請求項１ないし５のいずれかに記載のスキー・ブーツ。
【請求項７】
中間シェル部分（２９）およびソール（１３）の１つが、互いに対して曲げられた場合に、ブーツの長手方向軸（１２７）の周りで前および後ブーツ部分のねじりを生じさせるための案内または偏倚手段を備えていることを特徴とする請求項１ないし６のいずれかに記載のスキー・ブーツ。
【請求項８】
案内手段（８７）が、ソール（１３）内に形成された少なくとも１つの横方向ビーム（８７ｂ）によって形成されることを特徴とする請求項７に記載のスキー・ブーツ。
【請求項９】
案内手段が、中間シェル部分（２９）内の１つまたは複数の横方向のカット（９１ａ、９１ｂ）によって形成されることを特徴とする請求項７に記載のスキー・ブーツ。
【請求項１０】
案内手段が、後ブーツまたはシェル部分が前ブーツまたはシェル部分に対して横方向に偏倚するように構成されていることを特徴とする請求項７ないし８のいずれかに記載のスキー・ブーツ。
【請求項１１】
フレックス・カット調節または閉塞手段（１３７、１４１）が、横方向のカット（９１ａ、９１ｂ）内に挿入されて、前および後シェル部分（２７、２１）の最大の相対的可撓性または接近を制限または調節するために設けられていることを特徴とする請求項９に記載のスキー・ブーツ。
【請求項１２】
調節または閉塞手段が、プラグ、ボルト、または他の挿入部であることを特徴とする請求項９または１１に記載のスキー・ブーツ。
【請求項１３】
連結手段（１４３）が、カット（９１ａ、９１ｂ）の前後に位置するシェル部分を相互連結して、フレックス・カット（９１ａ、９１ｂ）が開くのを阻止するために設けられていることを特徴とする請求項９、１１または１２に記載のスキー・ブーツ。
【請求項１４】
中間シェル部分（２９）が、前シェル部分（２７）またはトーキャップからシャフト（２５）まで延びており、好ましくは、少なくとも中足骨領域内に開口（３１）を備えていることを特徴とする請求項１ないし１３のいずれかに記載のスキー・ブーツ。
【請求項１５】
外側ブーツ・シェル（２７、２９、２１）内の開口（３１）が、中足骨領域内で足の甲部からソール（１３）に向かって延びて、前および後ブーツ部分の互いに対する屈曲が可能であり、または緩和されることを特徴とする請求項１４に記載のスキー・ブーツ。
【請求項１６】
開口（３１）が、弾性、圧縮性、または折りたたみ可能なカバー（３５）で覆われることを特徴とする請求項１４または１５に記載のスキー・ブーツ。
【請求項１７】
中間シェル部分（２９）が、スキー・ブーツの前部および後部の曲げを可能にするため、外側ブーツ・シェル内に２つの対向して配置されたＶ形、円形、楕円形、または長手方向のカットのカット（９１ａ、９１ｂ）またはスロットを備えていることを特徴とする請求項１ないし１５のいずれかに記載のスキー・ブーツ。
【請求項１８】
カット（９１ａ、９１ｂ）が、足の甲部から曲線を描いて前方および下方に延びていることを特徴とする請求項１７に記載のスキー・ブーツ。
【請求項１９】
中間シェル部分（２９）が、折りたたみ可能または圧縮性で、足の甲部を覆って約１５ｍｍまでの縮小を可能にして、スキー・ブーツ・ソールの前部と後部の間の曲げを可能にする可撓性材料で作成されていることを特徴とする請求項１ないし１８のいずれかに記載のスキー・ブーツ。
【請求項２０】
弾性ゾーン（１５）が、弾性の、好ましくは取り外し可能なインサート（６１）を備えていることを特徴とする請求項１ないし１９のいずれかに記載のスキー・ブーツ。
【請求項２１】
弾性ゾーン（１５）が、外側ブーツのソール（１３）およびシャフト（２５）内に永久的に埋込まれた、構造的に設計された弾性インサート（６３）を備えていることを特徴とする請求項１ないし２０のいずれかに記載のスキー・ブーツ。
【請求項２２】
埋込インサートが、ソール（１３）の前後方向の曲げを可能にし、ねじりのたわみ性を阻止する、中足骨部の下の波形を付けた部分（８５）を備えていることを特徴とする請求項２０または２１に記載のスキー・ブーツ。
【請求項２３】
波形を付けた部分（８５）が、波形（８５）を接着して曲げおよびねじりに所望の動的応答をもたらす、平らな上部層と平らな下部層の間に挟まれていることを特徴とする請求項２０ないし２２のいずれかに記載のスキー・ブーツ。
【請求項２４】
外側ブーツが、中足骨部内の下向きの曲げを可能にするが、上向きの曲げ傾向を阻止する、埋込内側シェル・フレーム（７７）を備えていることを特徴とする請求項１ないし２３のいずれかに記載のスキー・ブーツ。
【請求項２５】
埋込内側シェル・フレーム（７７）が、中足骨部内でさじ形状をして、下向きの曲げを可能にするが、上向きの曲げを阻止することを特徴とする請求項２４に記載のスキー・ブーツ。
【請求項２６】
埋込内側シェル・フレーム（７７）が、下向きの曲げを可能にするが、ブーツ・ソール（１３）が上向きに曲がる傾向を阻止する中足骨部内の波形（８５）を備えていることを特徴とする請求項２５または２６に記載のスキー・ブーツ。
【請求項２７】
ソール（１３）が、剛性のリーフ・タイプ・スプリング（６５）を備えて、指定の範囲の曲げおよび下向きの動的応答を可能にすることを特徴とする請求項１ないし２６のいずれかに記載のスキー・ブーツ。
【請求項２８】
インサートが、ソール（１３）の両側で開放されて、それぞれ上面および底面の動的反発応答を伴った、指定の範囲の下向きの曲げを可能にし、上向きの曲げを阻止する、曲げおよびねじりボックス（１５７）として設計されていることを特徴とする請求項１ないし２６のいずれかに記載のスキー・ブーツ。
【請求項２９】
曲げおよびねじりボックス（１５７）が、ソール（１３）の上面および底面を垂直の補強Ｉビーム膜で連結して、上面の曲げ圧力を直接伝えて底面を曲げ、より有効な曲げおよびねじりボックス・ゾーンを作り出すことを特徴とする請求項２８に記載のスキー・ブーツ。
【請求項３０】
ねじりボックス・インサート（１５７）が、一（上）面上の可撓性の「気泡」および下方（前方）の剛性の非可撓性の表面として設計されて、上面が直接の中足骨部の圧力および／またはシェルの後部の力の三角形によって十分に屈曲して前方表面と接触した場合に、さらなる屈曲が制限され阻止されることを特徴とする請求項２８または２９に記載のスキー・ブーツ。
【請求項３１】
ねじりボックス（１５７）の補強材が、中足骨に最も近い上面はより薄く可撓性であるが、遠位の表面は完全に剛性で曲げ力全てに耐えるように設計されていることを特徴とする請求項２８ないし３０のいずれかに記載のスキー・ブーツ。
【請求項３２】
インサート（６３、７７）が、動的応答性質を組み合わせて作成されていることを特徴とする請求項１ないし３１のいずれかに記載のスキー・ブーツ。
【請求項３３】
インサートが、それぞれシェルのソールに成形された保持部（７５ａ、７５ｂ）上にねじ込まれ、またはそれを覆ってスナップ嵌めすることができる、着脱可能なつま先およびかかと部ウォーキング・ソール・プレート（９７、９９）に成形されていることを特徴とする請求項３２に記載のスキー・ブーツ。
【請求項３４】
外側ブーツが、ソール（１３）内またはその上、またかかとおよびくるぶしの骨幹の一部から上向きに延びて、内側および横方向の可撓性、およびすねのねじり回転に対処する内側シェル・フレーム（７７）を備えていることを特徴とする請求項１ないし３３のいずれかに記載のスキー・ブーツ。
【請求項３５】
内側シェル・フレームが、両側でくるぶしの上方にかなり延びるシャフト（７９）を内側に備えていることを特徴とする請求項３４に記載のスキー・ブーツ。
【請求項３６】
ソール（１３）、後および前シェル部分（２１、２７）が一体形に作成されていることを特徴とする請求項１ないし３５のいずれかに記載のスキー・ブーツ。
【請求項３７】
ソール（１３）が、着脱可能な下部ソール（１３ａ）を備えていることを特徴とする請求項１ないし３６のいずれかに記載のスキー・ブーツ。
【請求項３８】
着脱可能な下部ソール（１３ａ）が、少なくとも２つの別々の部分、すなわちつま先およびかかと部分（９７、９９）に作成されることを特徴とする請求項３７に記載のスキー・ブーツ。
【請求項３９】
着脱可能なソール（１３ａ）が、外側ブーツにねじおよびボルトおよび／またはスナップ嵌め連結部（７３）で取付け可能であることを特徴とする請求３７または３８に記載のスキー・ブーツ。
【請求項４０】
内側ブーツ（４９）が外側ブーツから引き込み可能であることを特徴とする請求項１ないし３９のいずれかに記載のスキー・ブーツ。
【請求項４１】
くるぶし固定および取付け手段（３９）が、外側ブーツの内（中）側から横（外）側に延び、スキーヤのくるぶしを包みかかと部分内に後ろに引き寄せることを特徴とする請求項１ないし４０のいずれかに記載のスキー・ブーツ。
【請求項４２】
くるぶし固定および取付け手段（３９）が、スキーヤのくるぶしをかかと部分内に後ろに引くため、ソール（１３）に対して角度１２０°より大きく、好ましくは角度１３０°と１４５°の間で配置されることを特徴とする請求項１ないし４１のいずれかに記載のスキー・ブーツ。
【請求項４３】
第１の脚固定および取付け手段（４１）が、シャフト（２５）のスポイラに取付けられた、可撓性であるが本質的に非伸縮性のストラップ手段であることを特徴とする請求項１ないし４２のいずれかに記載のスキー・ブーツ。
【請求項４４】
第１の脚固定および取付け手段（４１）が、シャフトの頂部から少し離れてシャフト（２５）に取付けまたは固定されていることを特徴とする請求項１ないし４３のいずれかに記載のスキー・ブーツ。
【請求項４５】
第２および第３のすね部締結および取付け手段（４３、４４）を、外側ブーツ・シェル・プラスチックの一部でもよいシャフト（２５）に設けることができることを特徴とする請求項１ないし４２のいずれかに記載のスキー・ブーツ。
【請求項４６】
足締付け手段（４５）が外側ブーツの中足骨領域内に設けられていることを特徴とする請求項１ないし４５のいずれかに記載のスキー・ブーツ。
【請求項４７】
くるぶし固定および取付け手段（３９）の下の外側ブーツの足の甲部（２９）が圧縮性であることを特徴とする請求項１ないし４６のいずれかに記載のスキー・ブーツ。
【請求項４８】
前ソール部分（１９）およびシャフト（２５）が、ブーツ・シャフト（２５）から前ソール部分（１９）に延びる少なくとも１つのケーブル（１０５ａ、１０５ｂ）によって相互連結されていることを特徴とする請求項１ないし４７のいずれかに記載のスキー・ブーツ。
【請求項４９】
手段（１２５）がケーブルの張力を制御し調節するために設けられていることを特徴とする請求項４８に記載のスキー・ブーツ。
【請求項５０】
本質的に剛性の外側ブーツ、およびスキーヤの足を受ける軟性の内側ブーツ（４９）すなわち内側ライニングと、外側ブーツに対して内側ブーツまたはライニングによって受けられたスキーヤのかかとおよびすねを取付けまたは固定するための取付けまたは締付け手段とを備え、
外側ブーツは、
ソール（１３）、
ソール（１３）に固定され足の後部を受けるように構成された後シェル部分（２１）、および
ソール（１３）に固定され、足の前部を受けるように設計された少なくとも１つの前シェル部分（２７）を備え、
後シェル部分は、かかと部（２３）、およびソール（１３）から上方に延びスキーヤのすねの骨幹に沿って少なくともその後ろで延びるように構成されたシャフト（２５）を備えたスキー・ブーツであって、
外側ブーツのソール（１３）は、本質的に剛性の材料、好ましくはプラスチックで作成され、ソール（１３）を前および後ソール部分（１９、１７）に分割する、ソール（１３）の中足骨領域内の弾性ゾーン（１５）を備え、
中間上方シェル部分（２９）は、外側ブーツの前と後シェル部分（２７、２１）の間に設けられ、前および後シェル部分（２７、２１）が互いに対して曲可能であるように設計され、
前ソール部分（１９）およびシャフト（２５）は、ブーツ・シャフト（２５）から前ソール部分まで延びる少なくとも１つのケーブル（１０５ａ、１０５ｂ）で相互連結されていることを特徴とするスキー・ブーツ。
【請求項５１】
引張り手段（１２５）が、ケーブル（１０５ａ、１０５ｂ）の選択した張力のために設けられていることを特徴とする請求項５０に記載のスキー・ブーツ。
【請求項５２】
ケーブル（１０５ａ、１０５ｂ）が、ソール（１３）内に設けられた溝（１０３ａ、１０３ｂ）内に延びていることを特徴とする請求項５０または５１に記載のスキー・ブーツ。
【請求項５３】
請求項１ないし５２に記載のスキー・ブーツ、スキー板、および前部およびかかと部ブーツ部分を受けるための前部および後部ビンディング部品を備えたスキー・ビンディングを含むシステム。
【請求項５４】
前部と後部のビンディング部品の間でブーツ・ソール（１３）の下に取付けられた、弾性またはばねを用いたサスペンション要素が設けられていることを特徴とする請求項５３に記載のシステム。
【請求項５５】
湾曲したリーフタイプ・スプリング要素がスキー板上で前部ビンディング部品の前方に、またはその下に、かつ後部ビンディング部品の後方に取付けられて、湾曲したスプリング要素が下部ソール表面と協働するようになっていることを特徴とする請求項５３または５４に記載のシステム。
【請求項５６】
ソール（１３）を後および前ソール部分に分割して、後および前ソール分が互いに対して曲げ可能であるようにする、中足骨部内の弾性ゾーン（１５）を備えたソール、具体的にはスキー・ブーツのソール（１３）。
【請求項５７】
請求項５６、および請求項７、８、１０、２０ないし２３、または２７ないし３３のいずれかに記載のソール。
【発明の詳細な説明】
【技術分野】
【０００１】
本発明は、請求項１のプリアンブルによるスキー・ブーツに関する。
【背景技術】
【０００２】
独国特許ＤＥ−ＯＳ−３３４３０７７号は、外力を加えると硬化するスポーツシューズ、たとえばスキー・ブーツ用ソールを開示している。スキー・ブーツの上部シェルは、脚のすねによって与えられた力を、骨幹、くるぶし、およびかかと部分を介して、スキー板に向けることができるように構成されなければならない。しかし、上部シェルの技術的特徴に関して、上記のＤＥ−ＯＳ−３３４３０７７号は記載していない。
【０００３】
米国特許第５，７４６，０１６号は、回転可能なトーキャップおよびシャフトを備えたスキー・ブーツを開示している。トーキャップは、歩行中は可動で、スキーをしている間は固定されるように設計されている。この理由で、上部シェルは、カバーに横方向の開口を備えている。カバーと一体型のべろがシェルの下方に延びている。このべろは、ばねで偏倚されたロックで閉塞することができる。スキーをするために選択した閉塞された位置では、トーキャップは回転することができない。スキーのため、シャフトとトーキャップは剛性である。
【０００４】
ＷＯ−Ａ−９１／１６９５７号は、スキー板、スキー・ブーツ、スキー・ビンディング、および支点要素を備えた改良型セットに関する。ＷＯ−Ａ−９１／１６９５７号は、トーキャップが、ブーツの他の部分に対して回転可能なスキー・ブーツの使用を提案している。具体的には、トーキャップは、ヒンジによってブーツの後部に連結されている。支点要素は、前部と後部のビンディングの間でスキー板の中央部に沿って配置されている。スキー・ブーツが屈曲または回転した場合、力が、支点要素を介してスキー板の中央部に直接加えられて、この力で中央部を湾曲させる。
【０００５】
最近では、テレマーク・スキーが復活している。装備に関して、テレマーク・スキーは、滑降スキーとは使用するスキー・ビンディングおよびブーツが異なる。滑降スキーのビンディングとは対照的に、テレマーク・スキーのビンディングは、かかとを固定するビンディングがなく、かかと部分を持ち上げて、後ソール部分（１７）がスキー板に対してほぼ９０°になり、スキーヤの膝がビンディングの前でスキー板に接触することができるようになっている。したがって、テレマーク・スキー・ブーツは、本質的に弾性反発の傾向がない、非常に可撓性かつ軟性のソールを有さなければならない。さらに、かかと部を持ち上げたときに、くるぶしがテレマーク・ブーツ内で固定されずに前後に移動する。したがって、テレマーク・ブーツは、かかとがスキー板に固定された場合は、非常に使用し難い。
【特許文献１】
独国特許ＤＥ−ＯＳ−３３４３０７７号
【特許文献２】
米国特許第５，７４６，０１６号
【特許文献３】
ＷＯ−Ａ−９１／１６９５７号
【発明の開示】
【発明が解決しようとする課題】
【０００６】
したがって、本発明の一目的は、スキーヤの解剖学的構造への圧力を低減し、スキー板をより良好に制御できるようにする新規なスキー・ブーツを提供することである。他の目的は、スキーをする場合に、スキーヤがより自然な姿勢を維持できるようにするスキー・ブーツを提供することである。他の目的は、スキーヤが、従来のブーツよりも大きな力をスキー板に向けることができるようにするスキー・ブーツを提供することである。他の目的は、スキー・ブーツのソールが、スキー・ブーツのソールの直接下にあるスキー板の曲げおよび動的応答特性をより厳密に模倣するようにさせることである。他の目的は、スキー・ブーツのソールが、ひずみ力を効果的に吸収し、スキーヤが、足裏で終端する固有感覚神経をさらに機能的に用いて、より良好な平衡および制御のための感覚を向上できるようにすることである。
【課題を解決するための手段】
【０００７】
本発明によれば、請求項１に記載し示した部分によるスキー・ブーツは、
外側ブーツのソールは、本質的に剛性の材料、好ましくはプラスチックでできており、ソールを前および後ソール部分に分割するソールの足中骨領域に弾性ゾーンを備え、
中間上部シェル部分は、外側ブーツの前と後のシェル部分の間に設けられ、前および後シェル部分が互いに対して曲げ可能に設計され、
かかと部分、シャフト、および後ソール部分（１７）は、本質的に剛性の関係であるように設計され、
くるぶし領域の周りで延び、くるぶしおよびかかとを後部かかと部分内で固定するための少なくともくるぶし固定および取付け手段（３９）を備えた取付けまたは固定手段、および
脛骨および内側ブーツ・シャフトの周囲で延び、すねを後部シェル・シャフトに、具体的には、後部シェル・シャフトのスポイラに、少しの遊びまたは遊びなしで有効に固定するためのすね固定および取付け手段を備えていることを特徴とする。
【０００８】
このスキー・ブーツの新規な設計によって、スキーヤが行使する力を全て、足の足中骨領域の下のソールの弾性曲げ部分に直接向ける力の三角形が生成される。ソールの弾性の曲げ部分は、すきー板の振動および曲げ動作によって作動する。ソールの弾性は、スキー板の曲げおよびねじり動的応答性質を補完する特定の動的応答に応じて呼応するように設計することができる。この新規なスキー・ブーツの他の利点は、すねを剛性のスポイラ・シャフトに固定するため、スキーヤのくるぶしが、ねじれたり曲げたりされずにしっかり支えられ、したがって、スキーヤの重心を最も好ましい運動的に効率のよい位置に維持できることである。
【０００９】
有利には、外側ブーツのシャフト、かかと、および後ソール部分は、本質的に非可動性、または非柔軟なプラスチックでできており、かかと部分、シャフト、および後ソール部分が剛性または本質的に非可撓性のアセンブリを形成する。これによって、ユーザが、可撓性または柔軟なシャフトを備えた従来のブーツよりも、より大きい力をより直接的にスキー板に与えることができるようになる。シャフトおよびスポイラは、ソールが前足部の下で屈曲し反発する間、できる限り剛性の支持で、くるぶしおよびすねを最強の位置で支持する。くるぶしを曲げる必要がない場合は、膝も最小限以上に曲げる必要がなく、したがって最強の最も安定した位置に維持することができ、それをＸ線ビデオの撮影で証明することができる。本発明は、本質的に、重要な曲げ要素をくるぶしから母指球領域および足中骨頭に移動させるものである。
【００１０】
有利には、弾性ゾーンの弾性により、曲げたソールが中立の平面位置に反発して戻る傾向を有するようにさせる。スキー板と調和して屈曲し反発することにより、ユーザは、それを直観的に感じ、スキー板の最も好ましい挙動を有効に調節することができる。好ましくは、弾性ゾーンが、足中骨の横方向軸の周囲の曲げを可能にする。これによって、足がウォーキングおよびハイキングのブーツ内で曲がるのと同様に、足がスキー中に自然に曲がることができる。スキー・ブーツの好ましい実施態様によれば、この弾性ゾーンは、横方向軸の周囲の曲げだけでなく、後ソール部分の前ソール部分に対するブーツの長手方向軸の周囲の正確に管理されたねじりが可能になるように設計されている。ソールおよびシャフトのねじれに対する実質的な抵抗は、外側エッジを介した自由なねじりが、常にすねの解剖学的構造の自然の動的位置合せおよび平衡の制御を可能にしつつ、内側がステアリングおよびエッジング力をすねの骨幹から内側エッジを介して正確に伝えるために好都合である。
【００１１】
有利には、中間シェル部分またはソールは、後および前ブーツ部分が互いに屈曲した場合に、ブーツの長手方向軸の周囲で後および前ブーツ部分のねじりを生じさせる案内または偏倚手段を備えている。この手段によって、厄介な雪や地形で最も必要とされるときに、スキーヤが与える力を最も有効に、たとえば、スキー板の内側に向けて、エッジングを支持することができる。この案内手段は、ソール内に形成された１つまたは複数の横方向のビームおよび／または中間シェル部分内の１つまたは複数の横方向のカットでもよい。ビームは、ブーツの長手方向軸に対してある角度で延びることができる。
【００１２】
案内手段は、後ブーツ部分が前ブーツ部分に対して横方向に偏倚されるように構成されることが好ましい。これによって、平衡および制御を維持するため、すねの自然の動的位置合せができ、かつ適応させることができる。横方向のカット内に挿入するためのフレックス・カット調節または閉塞手段を設けて、最大の相対的曲げまたは前と後のブーツ部分の間の開口の縮小を制限または調節することができる。これによって、スキー・ブーツが、スキーヤの個人的技術に自然に適応できるようになる。調節または閉塞手段は、栓、ボルト、保持プレートなどでもよい。中間シェル部分内のフレックス・カットの開きを阻止するために、連結手段を設けて、カットまたは開きの前後に配置されたシェル部分を相互連結することができる。
【００１３】
有利には、中間シェル部分は、トーキャップを形成する前シェル部分からシャフトまで延び、好ましくは、少なくとも足中骨領域内に１つの開口を備えている。足中骨領域内内の開口は、前および後シェル部分が互いに対して曲げ可能であるブーツを作り出す簡単な手段である。好ましくは、外側ブーツ・シェル内の開口は、足の甲から足の裏に向かって延びる。足中骨領域内の開口は、Ｖ形、円形、または楕円形でもよく、または長手方向のカットまたはスロットとして設計することもできる。開口は、この新規なブーツの利点を損なうことなく、シャフトまでも延びることができることを理解されたい。
【００１４】
シェル内にカットが設けられている場合は、そのカットは、足の甲から前方および下方に曲線を描いて延びることができる（湾曲したカット）。開口またはカットを設ける代わりに、中間シェル部分を、折畳み可能または圧縮性の可撓性材料で作成して、中足骨部の上で約１５ｍｍまで縮小して、スキー・ブーツ・ソールの前部と後部の間の曲げを可能にすることができる。
【００１５】
好ましい実施態様によれば、弾性ゾーンは、弾性の、好ましくは取り外し可能なインサートを備えている。あるいは、ソールは、異なる弾性の長手方向領域を備えて、ソールの所望の曲げ性を得ることができる。他の実施態様は、弾性ゾーンが、外側ブーツに永久的に埋込まれた、構造的に設計された弾性内側シェル補強フレーム・インサートを備えている。弾性フレーム・インサートは、中足骨領域に容易に曲げ可能な波形を付けた部分を備えることができる。前記波形を付けた部分を、波形を接着する平らな上部層と平らな下部層の間にはさんで、曲げおよびねじりに所望の動的応答および弾性をもたらすことができる。下向きの曲げ動作の範囲をソールの中立平面から最大３ｍｍまでに制限し、同時に、上向きの曲げ動作傾向を全て阻止することが望ましい。調節システムを設けて、ソールの曲げ動作を、スキーヤの体重および能力レベルに応じて、約３ｍｍに制限することができる。
【００１６】
有利には、外側ブーツは、内側シェル・フレームを備え、この内側シェル・フレームは、足中骨領域内で、下方への曲げを可能にするが上方への曲げ傾向を阻止する。内側シェル・フレームを設けた場合、所望の技術的特徴をこの内側シェル・フレームに取り入れて、外側ブーツ・シェルのプラスチックを、より薄く柔軟にすることができる。内側シェル・フレームを足中骨領域内でスプーンの形状にして、下方への曲げを可能にし、上方への曲げを阻止するようにすることができる。他の実施態様によれば、内側シェル・フレームは、下方への曲げを可能にするが、ブーツ・ソールが上方へ曲がる傾向を阻止する、足中骨領域内の波形部を備えている。他の実施態様によれば、ソールは、ソールのプラスチックに埋込まれた剛性のリーフ・タイプ・スプリングを備えて、指定の範囲の下方への曲げおよび動的応答を可能にする。リーフ・タイプ・スプリングの利点は、その動的特性を簡単に設計し制御できることである。リーフ・タイプ・スプリングは、有利な価格でソール内に組み込むことができる。
【００１７】
好ましくは、インサートは、埋込補強フレームの下に配置された、曲げおよびねじりボックス、または２つの対向するリーフ・スプリングとして設計される。この埋込補強フレームは、ソールの両側で開放されて、それぞれ頂面および底面の動的反発応答に対して、指定の範囲の下方への曲げ弾性を可能にし、上方への曲げを阻止する。有利には、曲げおよびねじりボックスは、矢状面に位置する垂直の補強Ｉビーム膜でソールの頂面および底面を連結して、頂面上の曲げ圧力を直接伝達して底面を曲げ、さらに有効な曲げおよびねじりボックス・ゾーンを作り出す。この垂直Ｉビームまたは他の有効な材料および形状を所望の場合に定位置にスナップ嵌めすることができ、ねじりボックスの最適強度および動的特性を維持しつつ、曲げる場合にねじりボックスの変形を回避する。材料の特性を組み合わせて作成したブロックなど、他のねじりボックス調節インサートも使用することができる。
【００１８】
ソールの他の実施態様は、ねじりボックス・インサートの補強を、中足骨に最も近接する上面をより薄く可撓性にし、遠位の面を完全な剛性にして曲げ力全てに抵抗するように設計することを提供している。この実施態様では、単に前部および後部のシェル部分が、互いに対して回転するが、ソール自体は回転しない。インサートの特性は、組合せた動的応答性質で事前成形することができる。インサートは、シェルのソールに一体化されるのが好ましいが、着脱可能なつま先およびかかとのウォーキング・ソール・プレートに成形することもでき、それらは、それぞれシェルのソール内に成形された保持部を覆って、たとえばねじまたはスナップ嵌めによって、シェルのソールに取付けられる。
【００１９】
好ましい一実施態様によれば、外側ブーツは、ソールの中またはその上かつ上方に延びて、かかと部およびくるぶしの骨幹部の一部を形成する内側シェル・フレームを備えている。この設計は、内側かつ横方向の可撓性、およびすねのねじり回転を設計によって意図的に管理することができる利点がある。有利には、内側シェル・フレームは、内側にシャフトを備え、このシャフトは、内側および横の距骨より上の指定の高さに延び、相互連結されたかかとを安定させる月形しんとしてかかと領域を包む。したがって、スキー板のエッジングおよびステアリングの際に、内側および横のシャフトのねじれの所望の制御、それぞれすね部シャフトのねじれの内側および外側の制御を行うことができる。ソール、後および前シェル部分は、一体形に成形されることが好ましい。
【００２０】
有利には、ソールは着脱可能な下部ソールを備える。この下部ソールは、所望の曲げおよびねじり特性を組み込んで、スキー・ブーツのソールの品質をスキーヤの体重および能力に応じて簡単に変更できるようにする。下部ソールを一体形に作成することもできるが、着脱可能なソールを少なくとも２つの別々の部分、すなわちトーキャップとかかとの部分に作成することが好ましい。前記部分をねじ、ボルト、スナップ嵌め連結などでシェルのソールに取付け、固定することができる。
【００２１】
従来のブーツと同様に、本発明によるスキー・ブーツは、好ましくは非可撓性のプラスチックでできた外側ブーツ・シェル、および軟性の内側ブーツまたはライニングを備えることができる。内側ブーツは、外側ブーツから取り外し可能または引き込み可能であることが好ましい。
【００２２】
スキー・ブーツ内でくるぶしを良好に保持するため、くるぶし固定および取付け手段を設ける。この手段は、外側ブーツの内側（インナー）から、横（外側）に延び、スキーヤのくるぶしおよびかかとをシェルおよび内側ブーツのかかと部分内に包み、後に引き寄せる。可撓性の本質的に非伸縮性のストラップ手段を固定および取付け手段として使用することが好ましい。閉鎖部は、当業界で知られたどの閉鎖手段でもよい。有利には、くるぶし固定および取付け手段は、スキーヤの足のくるぶしをかかと部分内に後に引き寄せるため、ソールに対して１２０°よりも大きい角度、好ましくは１３０°と１４５°の間の角度で配置される。
【００２３】
本発明の好ましい一実施態様によれば、第１または頂部すね固定および取付け手段は、シャフトのスポイラに取付けられた可撓性であるが本質的に非伸縮性のストラップ手段である。前記第１のストラップ手段は、外側ブーツ・シェルのプラスチックの一部、または別の織物あるいはプラスチック製ストラップでもよい。第１のストラップが内側ブーツとすね部シャフトを有効に最小限の遊びまたは遊びなしで外側ブーツ・シャフトまたはスポイラに結合できるようにすることが重要である。頂部すね部ストラップは、ストラップと内側ブーツ・シャフトの間の外側ブーツ・シェルのプラスチックなしで、内側ブーツおよびすね部シャフトを直接包むために、外側ブーツ・シャフトの内側に延びることができる。好ましくは、頂部脚固定および取付け手段は、それぞれ上部内側ブーツとすね部シャフトの端部を、それぞれシャフトとスポイラの間で最小限の遊びまたは遊びなしで結合させるため、シェル・シャフト・スポイラにシャフト端部の頂部から少し離れて取付けられ、または固定されている。これにより、最大運動量を剛性シャフトおよびスポイラ部分を介して弾性ゾーンに加えることができることが保証される。第２および第３のすね部締結および取付け手段を外側ブーツ・シェル・プラスチックの一部でもよいシャフト部分に設けることもできる。有利には、足締め付け手段を外側ブーツの中足骨領域内に設ける。有利には、足締付け手段を利用者親近的調節性のために外側ブーツの中足骨領域内に設ける。
【００２４】
くるぶし固定および取付け手段の上方の外側ブーツの足の甲の部分は、圧縮性または可撓性で、くるぶしを、くるぶし部ストラップ手段で効果的に包むことができることが重要である。可撓性かつ弾性のストラップ手段は、足の体積、形状、および適応した活動性の変数にさらに容易に適応し、支持または制御を失うことなく、自然な動きも可能する利点がある。
【００２５】
本発明の態様は、また、外側ブーツのソールが本質的に剛性の材料、好ましくはプラスチックで作成され、ソールを前および後ソール部分に分割するソールの中足骨領域内の弾性ゾーンを備えており、中間上部シェル部分が外側ブーツの前と後シェル部分の間に設けられ、前および後シェル部分が互いに対して曲げ可能または回転可能であるように設計され、前ソール部分およびシャフトがブーツ・シャフトから前ソール部分に延びる少なくとも１つのケーブルによって相互連結されていることを特徴とするスキー・ブーツである。この設計によって、弾性的に曲げ可能なトーキャップを剛性シェル・スポイラ・シャフトに結合して、力の三角形を活動化させる前方への膝の動きが、スキーヤが与える前向きの運動の力に比例して、ケーブルの張力を増大させ、即時にソールの曲げに対する抵抗およびソールの反発レートの両方を増大させるようにする。スキー板の曲げおよび振動の力が、それぞれソールおよびケーブルの引張を活動化させる場合に、同じ効果が起こる。選択したケーブルの張力のために張力調節手段を設けることが好ましい。引張手段は、ケーブルの一端と協働するレバー、取手などでもよい。有利には、ケーブルは、ソール内に設けられた溝内で延びる。
【００２６】
本発明の他の態様は、請求項１ないし５２のいずれかに記載のスキー・ブーツ、スキー板、および、前部とかかと部ブーツ部分、すなわちブーツのトーキャップとかかと部を受け締結するための前部および後部ビンディングを備えたスキー・ビンディングを含むシステムである。有利には、前部と後部のビンディング部品の間でブーツ・ソールの下に取付けられた、取替え可能または調節可能な弾性またはばねを用いたサスペンション要素を設ける。この弾性サスペンション要素は、前部および後部ビンディング・ソールが、曲げおよび振動の力をスキー板からブーツのソールに、またブーツのソールからスキー板に伝達し吸収する際に、プラットホームを支持するのを助け、足の裏の敏感な固有感覚神経の感知部間の触覚的メッセージを拡張する助けをして、スキーヤが、スキーヤとスキー板と雪面の間の常に変化する相対性を先取りして迅速に応じることができるようにする。調節ねじシステムは、スキーヤが、弾性またはばねを用いたサスペンション要素を締めたりゆるめたりして、弾性ソールの動的応答および反発レートを制御できるようにする。この弾性サスペンション要素は、前部および後部ビンディング・ソールが、曲げおよび振動の力を、スキー板からブーツ・ソールに、またブーツ・ソールからスキー板に吸収し伝達する際に、プラットホーム・スペーサを支持する助けをする。これは、足の裏の敏感な固有感覚神経の感知部間の触覚的メッセージを拡張する助けをして、スキーヤが、スキーヤとスキー板と雪面の間の常に変化する相対性を先取りして迅速に対応できるようにする。
【００２７】
システムの他の実施態様によれば、湾曲したリーフタイプ・スプリング・サスペンション要素が、中空のビンディング昇降機を通過して、スキー板上で前部ビンディング部品の前方または下、および後部ビンディング部品の後に取付けられて、湾曲したばね要素が、ビンディング内に取付けられた場合に、ブーツ・ソールの表面と協働できるようになっている。このことは、スキーヤがリーフ・スプリング・サスペンション要素上に与える力が、スキーヤからの力を、スキー板上に加えられた影響に対して、ビンディングの前方および後方に有効に伝達し、また、スキー板、特に短い丈のスキー板によって生じ、吸収されない高周波数の振動および共鳴を弱める際に、ソールの動的応答とともに働くために有利である。
【００２８】
次に、本発明を、発明性のあるスキー・ブーツの様々な基本概念を示す図面を参照して、さらに詳細に説明する。図では、同様の部品は同様の参照番号で示されている。
【発明を実施するための最良の形態】
【００２９】
図１〜１４では、本発明によるスキー・ブーツ１１の様々な実施形態が示されている。新規なブーツの特徴は、本質的に剛性の後ブーツ部分、および後ブーツ部分に対して曲げ可能かつ弾性である前ブーツ部分である。具体的には、スキー・ブーツ１１は、ブーツの中に受けられた足の中足骨が位置し、ソール１３を後ソール部分１７および前ソール部分１９に分割する弾性ゾーン１５を備えたソール１３を有している。後ソール部分１７は、かかと部２３、および後ソール部分１７の周囲から上方に延びるシャフト２５を備えた後シェル部分２１と一体化されている。前ソール部分１９は、前ソール部分１９の周囲から上方に延びる前シェル部分２７と一体化されている。後シェル部分２１と前シェル部分２７の間に中間シェル部分２９が位置し、シャフト２５から前シェル部分２７まで広がっている。前シェル部分２７は、本質的にブーツのトーキャップに対応している。後シェル部分２１と前シェル部分２７は、中足骨部内のソール１３およびスキー・ブーツの中間シェル部分２９の弾性設計により、互いに対して曲げ可能である。スキー・ブーツは、少なくとも弾性ゾーン１５の上方に位置する領域内で折りたたみ可能または圧縮可能である。
【００３０】
図１および２で示した第１の実施形態によれば、スキー・ブーツ１１の中間シェル部分は、前シェル部分２７またはトーキャップの後に延びるシェルのプラスチック内に開口３１を備えている。開口３１は、セイヨウナシのような形をしている。開口３１の縁部３３は、おおむね足の甲部分の縁部からかなり下方にソールに向かって延び、その後ソールに平行になり、再度上方に甲の縁部に向かって延びている。中足骨領域内の深い開口３１により、シェルのプラスチックは、スキーヤが歩行し、またはスキー中に膝を前方に押し付ける場合に、本質的にブーツ前部の曲げを妨げない。開口３１は、通常、雪および水の浸入を防ぐ、さらに弾性かつ不透過性のカバー３５で覆われている。
【００３１】
図３および４で示した第２の実施形態によれば、開口３１を第１の実施形態よりもさらにはっきりと見ることができる。開口３１は、弾性ゾーン１５の上方だけでなく、開口３１の最深点からシャフト２５に向けて角度を付けて延び、シェルをさらに開けている。これは、スキー・ブーツ内で足をより有効に支え、重ね合わせたシェルのプラスチックによって足の甲への侵害を回避する際に重要である。作り出された空間は、軟性でたわみ性のプラスチック部品に置き換えられる。このプラスチック部品は、雪および水を通さず、スキー板とすねの前部の間の望ましくない力の伝達を回避し、また、最も有効な力の三角形の効果をもたらす働きをする。
【００３２】
図５〜９で示した第３の実施形態によれば、開口３１は、横方向のカット９１ａ、９１ｂに縮小されている。カット９１ａ、９１ｂは、中間シェル部分２９の側部パネル内に形成されている。中間シェル部分２９は、従来のスキー・ブーツのように重ね合わせることができる。カット９１ａ、９１ｂは、丸みを付けてあり、側部フラップ１３１、１３３の縁部、またはソール１３に向けて湾曲したパネルから延びている。側部フラップは、弾性の不透過性カバー３５ａ、３５ｂで覆われている。カバーは、リベット３６およびバックル・ベース・プレート３８で、中間シェル部分２９に固定されている。接着剤を使用することもできる。図８では、シャフトを前向きに曲げた場合のカット９１ａ、９１ｂの縮小が示されている。
【００３３】
実施形態全てに共通することは、すね部のシャフトを、後部スポイラ・シャフト２５、後ろ側のシェル部分４０、４２や後ソール部分に対してライナに結合し、本質的に剛性のアンサンブルを形成して、力の三角形を作り出していることである。図１０で概略的に示したように、この力の三角形は、ユーザが、最大のてこを弾性ゾーン１５が配置されている中足骨部のソール部分に適用できるようにする。側部シェル４０、４２は、図５４および５５で示したように、外側ブーツ・シェルの補強材として設計することができる。側部シェル４０、４２は、上部シャフトからある角度で、弾性ゾーンの後ろの中部足領域に向かって下方に延びる補強シェル・プラスチック部分として設計することができる。
【００３４】
シャフト２５は一体形に作成することができるが、シャフト２５は後シェル部分２１に連結されたカフ３７を備えることもできる。従来のスキー・ブーツとは違い、この新規なスキー・ブーツのカフ３７は、後シェル部分２１に連結されて、後シェル部分２１およびカフ３７が剛性的に相互連結されるようになっている。参照番号５０は、それぞれシャフト２５および／またはカフ３７の後ろ側で上方に延びるスポイラを示す。一例として、カフ３７は、後シェル部分２１に、少なくとも２つのリベット４６でブーツの両側に固定することができる。カフ３７をシェル・シャフト２５に締結するために、より多くのリベット４６を使用するにしたがって、シャフト２５およびカフ・システム３７の支持性および剛性がさらに向上する。リベット４６を選択的にカフおよびシャフトの両側に追加し、またはそれらから引き抜いて、それぞれ内側および側部に対して、スキーヤの好みに応じて、所望の程度の耐ねじり性をもたらすことができる。後シェル部分２１、シャフト２５、およびカフ３７は、それらが剛性の関係で、くるぶしを前向きの曲げ動作からさらに有効に支えるように設計されている。この方法により、スキーヤは、ブーツ・シャフト２５を介して、力を直接ソール１３の弾性ゾーン内に向けることができる。スキーヤが、膝を前に曲げることによって、ブーツの軸に平行の骨幹の力を行使すると、その結果、垂直に下方に向けられた力の要素（矢印２６）が中足骨ソール領域の曲げをもたらす。この効果を図１０に示す。ソール１３が弾性的に変形できるため、くるぶしは本質的に屈曲せず、したがって、スキーヤの重心を最も好都合の平衡の位置に容易に維持することができる。剛性のソールおよび可撓性または回転可能なカフ・シャフトを使用する従来のスキー技法によれば、スキーヤが前方または後方に曲げると、スキーヤのくるぶしは、関節で前後に動く。初めは明らかではないであろうが、スキー・ブーツ１１の新規な設計は、現時点で市販されているスキー・ブーツの設計とは違い、重要な曲げ要素がくるぶしおよびすねの骨幹から足の母指に移されている。それによって、それぞれ安定性および制御性の損失を招くビンディングを備えたシェル・プラスチックの通常の変形を起こさずに、力をスキー板により直接的に加えることができるため、さらに良好な制御ができるようになる。
【００３５】
最適の制御のため、カフを閉鎖締結システムで閉じる前に、足の骨幹を後ろに引いて、パワー・ストラップでスポイラに対して締め付けることによって、スキーヤのすねおよびくるぶしを最小限の遊びでシャフト２５に取付けることが重要である。これまでは、パワー・ストラップの前に、カフの閉鎖部を最初に閉じ、その後、パワー・ストラップをその外側にカフの前で閉じていた。この理由で、外側ブーツは、足の甲および中足骨部分２９で容易に変形可能または圧縮性であることが好ましい。これを実行するため、比較的剛性の外側シェル・プラスチックの開口３１は、好ましくはシャフト２５まで延びて、ブーツの内側から外側に延びるくるぶし部締付け手段、たとえばストラップ３９が、スキーヤのくるぶしおよびかかとを包み、かかと部２３内にさらに有効に後に引き寄せることができる。したがって、スキーヤのくるぶしは、従来のブーツとは違って、本質的に固定される。従来のブーツでは、シェル・プラスチックの適応性が著しく制限され、くるぶしおよびかかとを、かかと部内で有効に後ろに引き寄せないことが多い。スキー・ブーツ１１のソールは、曲がることができるため、スキーヤのくるぶしおよびかかとが前後に動く傾向も見られない。
【００３６】
第１のすねまたは骨幹部締付け手段、たとえばストラップ４１は、上部カフまたはシャフト部分の周りに延びており、スキーヤのすねを最小限の遊びでシャフト２５に固定するように適合されている。図１〜６、および１３と１４で最もよく見ることができるように、第１のシャフト・ストラップ４１は、スポイラ５０に取付けられて、内側および外側ブーツ・シャフトがその上端で結合されるようになっている。これによって、スキーヤが、剛性のシャフトおよびカフ部分によって、最大の力を中足骨部に加えることができる。最適には、第２および第３のシャフト締付け手段、たとえばプラスチック製ストラップまたはバックル締結部４３および４４を外側ブーツ・シェルに沿って設けることができる。第２および第３のストラップを外側ブーツ・シェルのプラスチックと一体化することができる。２つまたは３つ以上のシャフト・ストラップ４１、４３、４４の使用は任意選択であるが、カフ３７およびシェル・シャフト２５を閉じる際に、スキーヤがより大きいてこの力を使用して、すねおよびくるぶしの周りを支えることができるようにし、閉鎖圧力をさらに一様に快適に分散できるようにする。中足骨領域内の足締付け手段、たとえばストラップまたはバックル締結部４５は前足部を固定する働きをする。本発明のストラップは、スキー・ブーツで使用されているすでに周知のどの閉め具でもよいことを理解されたい。
【００３７】
図１３および１４で示した第４の実施形態によれば、開口３１を拡大して、足および中足骨を取り囲むシェルのプラスチックの量を大幅に減少させている。上記に論じた実施形態とは対照的に、この第４の実施形態は、一体形に作成された外側ブーツ・シェルを有する。この外側ブーツは、その中に内側ブーツ４９を受ける本質的に開放されているシェル４７を備える。開口３１は、トーキャップ２７から上部シャフト端部５１まで延びる。くるぶし部ストラップ３９を、垂直に対して約４０°〜５０°に配置して、スキーヤのくるぶしをかかと部２３内に有効に固定できるようにする。内側ブーツ４９は、開口３１の縁部３３を超えて、ストラップ４１および３９が内側ブーツ４９と直接協働するようになっている。
【００３８】
ストラップ３９、４１、４３、４５は、従来のバックル５３（図５）、ラチェット・バックル５５（図１）、Ｖｅｌｃｒｏ締結手段５７（図１３）などで外側ブーツに締結することができる。図１４では、空洞５９がソール１３の中足骨領域内に示されている。様々な弾性係数を有するプラスチック製プレート６１を空洞５９内に挿入し締結して、ソール１３の曲げ特性を、スキーヤの体重および能力、使用の装備などに応じて変えることができる。足部ストラップ４５は、内側ブーツのソールの直接上面上にある前足部領域内に取付けられ、内側ブーツ４９の甲部分を横断して、支持的閉鎖システムとして働く。これは、図３および４で示したシェルの実施形態における好ましい前足部閉鎖および調節システムであり、ベルクロ支持ストラップは、通常、最良の支持のために足に対して１回の調節および微調節しか必要としない。
【００３９】
図１５〜１８は、弾性ソール１３の様々な実施形態を示す。図１５で示したように、ソール１３の第１の実施形態は、ソール１３に埋込んだ補強体６３を有している。補強体６３は、ソールの弾性、動的応答、およびねじりを下向きには制御し、上向きには阻止するため、ソールの所望の曲げおよびねじり性質をもたらす。あるいは、補強体６３は、ブーツ・ソールの弾性および反発性質を組み合わせて、ソールの弾性を調節することができるようにする、取替え可能なつま先およびかかとのウォーキング・プレート９７、９９に組込むことができる。
【００４０】
図１６は、前足部領域の下でソール内に埋込んだリーフ・スプリング６５を備えた発明性のあるソールのさらなる実施形態を示す。リーフ・スプリング６５もシェル・ソール内に、または着脱可能なつま先およびかかと部ウォーキング・ソール９７、９９（図１８）内に永久的に埋込むことができる。対向するリーフ・スプリングなど、様々なリーフ・スプリング特性および組合せを、スキーヤの体重および能力の要求に応じて、事前決定し交換することができる。
【００４１】
図１８ａおよび１８ｂは、事前成形されたシェル保持部に締結するボルトまたはプラスチック製スナップ嵌めシステムによって取付けることができる取替え可能なつま先およびかかと部ウォーキング・ソール・プレートを備えたリーフ・スプリング補強インサート・ソールを示す。取替えソール部分は、スキーヤの体重および能力に合った選択の動的特性を組込むこともでき、水平面に対して様々な角度のソール角度を組込んで、各すね部を位置合せする解剖学的構造の生態力学的特徴に容易に適応することもできる。
【００４２】
図１７ａおよび１７ｂは、中立の無負荷位置（図１７ａ）、および、また動的に負荷された位置（図１７ｂ）にあるリーフ・スプリング・システムを示す。この実施形態では、ソールは凹形表面６７を有して、ソールの動的な曲げがソールの水平面の下に拡大されないようにする（図１７ｂ）。
【００４３】
図１８ａでは、着脱可能なソール１３ａが示されている。この着脱可能なソール１３ａは、ブーツ・ソール１３にボルト６９およびねじ７１で固定される。それらは、ソール１３、１３ａ内の穴７３内に挿入される。スナップ嵌めシステム７３によって取付け締結されるかかと部１７を伴った代替の取付けシステムを示す。ここでは、後かかと部分をその事前成形ノッチ７５ａ上でスライドさせ、前かかと部分を、てこのツールまたはねじ回しで、前方の事前成形ノッチ７５ｂを覆って前方にてこで動かし伸ばす。
【００４４】
発明性のあるスキー・ブーツの曲げおよびねじり特性を制御するため、外側スキー・ブーツ・シェルは、本質的に剛性の補強された内側シェル・フレーム７７（図１９〜２１）を備えることができる。この内側シェル・フレーム７７は、補強された射出成形プラスチックまたは合成プラスチックで、好ましくは一体形に作成される。フレームは、ソールの下方への曲げおよびねじりを制御し、上方への曲げを阻止するように設計されることが好ましい。内側シェル・フレーム７７上に、上方に延びるくるぶし部スポイラ７９を有して、くるぶしを最適に保持し、ソールの水平面とシェル・シャフトの垂直面の内側との間の曲げおよびねじり抵抗を制御する。内側シェル・フレームは、かかとの後の周りおよびくるぶしの横の側部に沿って包み込んで、強い安定したかかと部の月形しんを形成し、ソールおよび内側シャフトの関係の完全性を支持する。フレーム７７は、前足部領域内に、下方への曲げを可能にし、上方への曲げを阻止する、凹形状部８１および垂直の延びる側壁８３ａ、８３ｂを有する。内側フレーム７７は、取り囲む外側ブーツ・シェルのプラスチックに固定され、またはその中に埋込まれる。ブーツ・シェルのプラスチック内に埋込まれたフレーム７７は、下向きの曲げおよびねじりにおける制御された動的応答性質を可能にし、ソールをかかと部の月形しんおよびシェルの内面に直接連結して、スキー板のステアリングおよびエッジング中に望ましくないひずみを回避する。
【００４５】
図２１は、埋込んだ内側シェル・フレーム７７のさらなる実施形態を示す。ここでは、波形８５を使用して、所望の軸線での制御された前足部の曲げを可能にするが、ソールのねじり傾向を全て回避している。
【００４６】
所望のブーツ・ソール特性を得るため、補強ビームをシェル・ソールの内側または外側に設けることができる（図２２）。この場合、横方向ビーム８７は、つま先プレート９７の内面からかかとプレート９９の横面まで、ブーツ・ソール名称ＩＳＯ５３８０のつま先とかかとの領域の間の全長にわたって配置されて、通常スキー板の内側エッジに向けられる、足および脚のステアリングおよびエッジング動作に伴うソールのねじれおよび回転傾向に対する補強をする。
【００４７】
ブーツ・ソールの他の実施形態は、３つの補強ビーム８７ａ、８７ｂ、８７ｃ、およびビーム８７内の溝形カット８９を用いて、ビーム内の特定点での下向きの曲げを可能にするが、溝形カットが共に押し付けられた場合に上向きの曲げを制限している。ビーム８７ａは、ブーツ・ソール１３の内側（内面）のブーツの長手方向軸に平行に延びる。第２のビーム８７ｂは、かかと部ウォーキング・プレーの外側からある角度で延びて、ブーツの長手方向軸の中心に取付けられ、つま先部ウォーキング・プレート９７まで延びる。ビーム８７ｃは、つま先部ウォーキング・プレート９７から後ろ向きに中足部領域の下にかなり延びる。この非対称のビーム構成により、ねじりおよびエッジング動作がソールに与えられた場合に、前ブーツ部分に対する後ブーツ部分のソールのねじれが制御され、内側へのねじりが阻止されて、スキー板をより安定させ制御することができ、エッジの内側でスキー板により大きい圧力を加えることができるようになる。
【００４８】
図２４は、図１９で示した内側シェル・フレームおよびソール・ビーム８７内の溝形カットを備えたスキー・ブーツの一実施形態を示す。内側シェル・フレーム７７は、かかとの月形しんおよびシェル・シャフトの周りに延びる。横方向のフレックス・カット９１またはスリットの形状の、弾性ゾーンの上方にある開口３１は、ソール１３が曲がったときに上部シェルを閉じることができるようにする。フレックス・カット９１の深さは、シェルのプラスチックの厚さ、伸びへの抵抗、および使用の場合は埋込み内側フレームと組み合わせたソールの可撓性も決定する。フレックス・カット９１がソール１３に近づくにしたがって、より大きい曲げが可能になる。破線は、ブーツの最初の位置を示し、実線は、動作の際のブーツの曲げ動作の範囲を示す。カフ３７の前向きの動作は、力の三角形を介したソール１３の曲げを生じさせる。
【００４９】
図２５は、ソールの曲げおよび動的応答性質を調節する他の手段を示す。この場合、剛性合成物または金属ロッド９３を、埋込補強材およびシェルのプラスチック内の事前成形スロット９５内に挿入する。ロッド９３は、ソールが下向きに屈曲する傾向を阻止し、ロッドの事前決定された物理的特性も動的応答性質を調節する。
【００５０】
図２６〜２８では、ソール１３の補強ビーム８７内に保護され、つま先およびかかと部ウォーキング・プレート９７、９９で覆われたケーブル・アセンブリが、埋込み補強材の凹形外面内の案内溝１０３ａ、１０３ｂを介して、つま先部および曲線部の下の成形きのこ形部１０１またはストップの周りで環状になっている。２つのケーブル１０５ａ、１０５ｂは、中足部およびかかと部の下の引張ブリッジ１０７を介して安定化され、別々に延び、または１つのケーブル１０９に接合されて、シェルの後部で別のケーブル引張ブリッジ１１１を介して垂直に引っ張る。この引張ブリッジ１０７、１１１は、バイオリン上の弦の駒のような働きをする。このケーブルは、スポイラの頂部内の別の成形きのこ形部１１３の周り、またはシェルの後部上にあるバックルあるいはスプール調節機構１１５を介して環を終了する。次いで、すねが曲がり、スポイラを前方に引いた場合、ケーブル１０９は、前足部の下の埋込み補強材の凹形表面に対して引き寄せられ強く引張され、比例してソールの剛性および動的応答性が増し、スポイラもすねの前向きの動作を制限する。
【００５１】
引張ブリッジ１０７は、３つの引張り位置を提供する三角形の断面をもつカム・ロッド１２１（図２９および３０）として設計することができる。カム・ロッド１２１は、互いに間隔を置いて配置された２つの溝１２３ａ、１２３ｂを有する。溝１２３ａ、１２３ｂは、ケーブル１２５ａ、１２５ｂを案内し、異なる深さを有してカム・ロッドを静置させる平坦な側面に応じて、選択した張力をケーブル・アセンブリに与える。ロッド１２１は、３つの位置の１つの中に回転して、それぞれケーブル１０５ａ、１０５ｂ、および１０９に異なる張力を与えることができる。ケーブル１０５ａ、１０５ｂ、および１０９は、屈曲し、ばねレートおよび動的応答性を変える凹形フレームの能力を制御する。ケーブル１０５ａ、１０５ｂ、および１０９の張力を、調節可能なバックルまたはマイクロ調節スプール１２５（図３２）によってゆるめることができる。
【００５２】
埋込補強フレームの凹形面に対するケーブルの張力が増大すると、ソール１３の曲げに対する抵抗が調節かつ増大され、また、ソールを下向きに変位させる程度、およびソールの動的応答、反発、またはばねレートが調節される。このことにより、スキーヤが、体重、能力、およびエネルギー・レベル、またスキー板の動的応答性能に応じてソール１３を調節できるようになる。
【００５３】
張力調節ブリッジをソールの側部を介してチャネル１１７内に挿入することができる。これによって、ケーブルを様々な深さの数個の溝の１つに位置させて、ケーブルの張力を漸進的に増大させ、それによってソールの曲げの動的応答を制御することができるようにする。
【００５４】
図２６は、４つのバックルのブーツのモデル上のバックル間にあるフレックス・スロットから、雪および水を封止するための好ましいシステムも示す。使用した材料は、雪および水に対して不透過性であり、天候の変化に少しも影響されず、軟性で容易に曲がるものである。
【００５５】
１つ以上のフレックス・カット９１が、外側ブーツ・シェルの甲の部分内に存在することができる。図３３および３４で示したブーツの実施形態は、外側ブーツ・シェルの甲部内に、互いに間隔を置いて配置された２つのフレックス・カット９１ａおよび９１ｂを有している。フレックス・カット９１ａおよび９１ｂは、ブーツの長手方向軸１２７に対して角度を付けて延びている。フレックス・カットは、同じ方向に角度を付けてあるため、屈曲が始まると、同じ方向で後シェル部分に偏倚する。すねが前方に動くと、外側シェルの上方後部がシェルの前部に対して横方向に偏倚する。これによって、前部が有効に角度を拡大するようにさせ、ソールをスキー板の内側縁部を覆って内側にねじる。これは、上級の熟練したスキーヤにとって、エッジング圧力を上げ高速でのスキー板の制御を容易にする好ましい性能であり、複雑な雪および地形の状態では、そうでなければスキー板にエッジをかけ制御するのは骨折りで難しいことである。
【００５６】
図３４でさらに詳細に見ることができるように、後部シェルの内側のカット９１ａは、前部シェル・フラップ１３１の下に偏倚し、後部シェルの横のカット９１ｂは、前部シェル・フラップ１３３の上に偏倚して、シェルの前部をソールの内側縁部内およびスキー板のエッジに向けて下方に偏倚させている。
【００５７】
フレックス・カットの長さおよび深さの決定は、設計者の所望のソールの曲げ挙動に対するシェルのプラスチックおよび内側フレーム補強材の集合的応対に応じてなされる。通常、フレックス・スロットがシェル内により長く深く切り込まれるにしたがって、ソールの曲げはより柔軟に深くなる。したがって、フレックス・スロットの実際の長さを短縮することによって、ソールの曲げを調節することができる。フレックス・スロットの長さを短縮するにしたがって、ソールの屈曲性は「より剛性」になる。
【００５８】
フレックス・カット調節または閉塞手段、たとえばプラグ、ボルト、または他の挿入部を設けて、前および後ブーツ部分の最大相対的曲げを調節または制限することができる。好ましい一実施形態によれば、フレックス・カット調節手段は、互いに間隔を置いて配置された外側保持縁部１３９を備えた複数の上向きに延びるプラグ１３８を有する長手方向の保持プレート１３７を備えている（図３７）。プラグ１３８は、ねじ１４１を受けることができ、ねじ１４１は、挿入された場合、後シェル部分の前方への動きを阻止し制限する。保持プレート１３７を、図３５〜３８で示した位置に挿入しねじ込むことができる。プラグ１３８は、フレックス・カット９１内に着座し、前および後シェル部分の隣接する縁部と協働する。保持プレートは好ましくは、たとえば、ゴム、または温度の変化によって影響を受けない他のエラストマーから作られた事前成形のゴム様のインサートであることを理解されたい。３つの位置を全て塞ぐと最も硬い位置が達成される。１つ、２つ、または３つの位置全てを開放すると、フレックス・スロットは開放されて漸進的に柔軟になる。フレックス・カットを閉じると、空のゴム製プラグ１３８は容易に圧縮される（図３８ｂ）。２つの比較的低いプラグ内にねじ１４１を入れると、プラグをもう圧縮することができず、したがって、フレックス・カット９１の実際の長さが縮小され、ソールの柔軟性が硬化する。スキーヤは、内側および横の曲げ抵抗を別々に調節することができる。
【００５９】
たとえばスキーヤが後進を習得する場合に、フレックス・カット９１の開きを阻止するには、前および後シェル部分を非伸縮性連結手段１４３、たとえばストラップ、補強ひもなどで相互連結することができる。この手段によって、通常のスキー・ブーツの最も望ましいエッジングおよび回転の支持的性質を保存し、フレックス・スロットを望み通りに閉塞し縮小することができる。補強ひもの形状の連結手段１４３を上部の前および後シェル部分にリベットまたはボルト１４５で取付ける。
【００６０】
後部シェルの内面をシェルの横面のつま先に補強ひもの横方向のブリッジ１４３で連結した場合、フレックス・カットの開きをさらに有効に制御することができる（図４０）。したがって、ひものストラップを、エッジングから生じるシェルの変形ねじり力に合致させて固定することができる。
【００６１】
図４１〜４３は、開ける力が加わった場合にフレックス・カットが開くのを阻止するために、シェルに成形された一体型のブリッジ１４７を備えた外側ブーツ・シェルの一実施形態を示す。横方向ブリッジ１４７は、ソールの曲げ性質を損なわずに容易に曲がることができるが（図４３）、スキーヤが後進を習得する場合は、フレックス・カット９１がさらに開くのを有効に阻止できるように、十分に軟性かつ可撓性に設計されている。
【００６２】
図４４および４５で示した実施形態は、リベット１５２でブーツ・シェルに取付けられた補強ひも１５１によって特徴付けられている。このひも１５１は、トーキャップを後シェル部分に連結する前部フレックス・カット９１ａに対してほぼ平行に延びている。しわ１５３は、前および後シェル部分が互いに対して曲げられた場合に、ひも１５１の折りたたみに有利であるように、ひも１５１内に設けられている。
【００６３】
実施形態全てに共通することは、ひも１５１または連結手段が、ソールの曲げ領域の上方でシェルの間隙またはフレックス・カットの橋渡しをすることである。図４６で示したように、ひも１５１を定位置にリベット留めし、バックル・ベース・プレート１５５でさらに固定することができる。ひもは、容易に曲がって、シェルの上部の間隙またはカット９１を閉じることができるようにするが、スポイラへの後ろに向けた圧力またはステアリングおよびエッジング力に対するシェルのねじり抵抗に対する推進力（driving）によって、間隙が開く傾向を全て阻止する。
【００６４】
図４７〜５３の実施形態は、ソールの上方（近位）面上に気泡緩衝材１５６を備えた埋込み補強フレーム内に組み込んだねじりボックス１５７を有する。これによって、プレストレスの動的曲げ面を、曲げ性の低い下方（遠位）面に対して作り出すことができる。
【００６５】
図５２および５３は、シェル、および可撓性上面と屈曲できない完全に補強された非可撓性遠位面を備えたねじりボックス１５７の断面を示す。これは、上方の開口またはスロット・システム、およびシェルの内部部品は、必要に応じて動的に曲がり変形するが、シェル・ソールの外面は全く曲がらず変形しないことを指す。これは、いくつかの曲げ機能に対する機械的関係、および、力が非常に大きく、ソールの曲げと反発性質を制御し限定しなければならない極限のスキー状態におけるスキーヤの要求を考慮する際に重要なことである。
【００６６】
図５４および５５で示した、スキー板、スキー・ビンディング、およびスキー・ブーツは、スキー板の表面上のブーツ・ソール１３の下に取付けられたリーフスプリング・タイプのサスペンション要素１６４を備えている。参照番号はスキー板を示す。サスペンション要素１６４は、前部および後部ビンディング１５８、１５９の下のビンディング・スペーサ１６０を介して延びている。サスペンション要素１６４の端部に設けられた取付けおよび調節プレート１６５は、サスペンション要素１６４をスキー板の表面に取付けやすくする。サスペンション要素１６４は、弾性ゾーン１５の下に取付けられた弾性またはばねを用いたサスペンション要素１６１と付加的に接触することができる。弾性またはばねを用いたサスペンション要素１６１は、張力調節要素１６２を備えることができる。リーフスプリング・タイプのサスペンション要素１６４の上面上に、ブーツをビンディング内に取付けた場合にブーツ・ソール１３と接触する取付けおよび調節プレートを有することができる。
【００６７】
図５６は、発明性のあるスキー・ブーツと共に使用するための内側ブーツ４９の一実施形態を示す。この内側ブーツ４９またはライナは、選択された補強材料１６９で構築される。補強材料１６９は、ライナの外側またはライナの外側のスキン素材の下、あるいはその組合せに積層されて、剛性シェルのプラスチック、および足とすねを保護し絶縁する働きをする支えのパディング・システムを補完する穏やかな移行および積層構造をもたらすものである。補強材１６９は、足およびすねの非対称かつ生態力学的支えの必要性に応じて非対称的に設計され組立てられた、可撓性の熱的に成形可能なものでよく、それらを組合せて、シェルのプラスチックと組み合わせた積層を作り出して、サンドイッチ構造の硬化効果をもたらすようにする。これは、より薄く軽い外側シェルのプラスチックを使用することができ、それによってさらに適合性および可撓性が向上し、さらに曲がりやすくなり、外側シェルのプラスチックと組み合わせて層にしやすくなり、統合されて硬化および支持的材料の有効かつ適合性のある積層が作り出されることを指す。さらに、シェルおよびライナ材料の可撓性が向上するにしたがって、ブーツがさらに利用者親近的かつ快適にもなり、足に履き、閉鎖部を調節し、次いでブーツを脱ぐのが容易になる。内側ブーツ４９は、任意選択の補強材１７３を備えたべろ１７１を有する。ストラップ１７７が、内側ブーツ・シャフト１７５ａの頂部から少し間隔を置いて設けられている。ストラップ１７７は、好ましくは、Ｖｅｌｃｒｏストラップであり、外側ブーツの後部スポイラ・シャフト２５に締結した場合に、第１のすね部固定および取付け手段として使用することができる。ストラップ１７７の端部は、ストラップ案内部１７９に保持されている。
【図面の簡単な説明】
【００６８】
【図１】３つだけのバックル、および中足骨部および足の甲部を覆う外側ブーツのシェル内の開口を備えた新規なスキー・ブーツの第１の実施形態を示す側面図である。
【図２】図１のスキー・ブーツの内側を示す図である。
【図３】２つだけのバックル、およびトーキャップからシャフトまで延びた外側ブーツのシェル内の開口を備えた、スキー・ブーツの第２の実施形態を示す側面図である。
【図４】図３のスキー・ブーツの内側を示す図である。
【図５】外側ブーツの中足骨部分の周りのシェル内に開口を有するいくぶん従来の外見の４つのバックルのブーツを示すスキー・ブーツの第３の実施形態を示す側面図である。
【図６】図５のブーツの前ブーツ部分を示す正面平面図である。
【図７】中立位置のフレックス・スロット開口を有する、図５のブーツの前部の上部を透明にした図である。
【図８】縮小した曲げた位置のフレックス・スロット開口を有する、図７のブーツを示す図である。
【図９】中立位置に静止している、裸のバックルを付けていない図７のブーツを示す図である。
【図１０】横方向のフレックス・カットを備え、スキー板上のビンディング内に固定された、すねの曲げ運動を力の三角形を介してソールの弾性の前足部（中足骨）領域に直接伝える、図５のブーツ内の力の三角形を概略的に示す図である。
【図１１】スキー板上のビンディング内に固定された図３のブーツ内の力の三角形を概略的に示す図である。
【図１２】図１のブーツ内の力の三角形を概略的に示す図である。
【図１３】外側ブーツの本質的に開放設計の第４の実施形態を示す斜視図である。
【図１４】図１３のブーツを示す側面図である。
【図１５】弾性ソールの一実施形態を示す図である。
【図１６】リーフ・スプリングを備えたブーツ・ソールの一実施形態を示す図である。
【図１７】中立の無負荷位置（ａ）および負荷位置（ｂ）にあるリーフ・スプリング・システムを備えているソールのさらなる実施形態を示す図である。
【図１８】組立てた位置（ａ）および分解した位置（ｂ）にある着脱可能なソール部分を備えたソール・システムを示す図である。
【図１９】剛性内側シェル・フレームを備えたスキー・ブーツの別の実施形態を示す図である。
【図２０】図１９の内側シェル・フレームを示す図である。
【図２１】前足部領域内に複数の波形を有する内側シェル・フレームの別の実施形態を示す図である。
【図２２】長手方向および部分的に横方向に延びる補強ビームを備えたブーツ・ソールを示す図である。
【図２３】３つの補強ビームを備えたソールの別の実施形態を示す図である。
【図２４】埋込んだ凹形の補強フレーム、および波形とビーム内の２つの異なる位置の溝形カットを有するソールを備えたスキー・ブーツを示す図である。
【図２５】事前成形されたスロット、およびそのスロット内に受けられてソールの曲げおよび動的応答性質を制御し調節するロッドを備えたスキー・ブーツ・ソールを示す図である。
【図２６】ソールの弾性および応答性を調節するための手段（ケーブル・アセンブリ）を備えたスキー・ブーツ・ソールを示す側面図である。
【図２７】図２６のスキー・ブーツ・ソールを示す底面図である。
【図２８】図２６のスキー・ブーツを示す部分側面図である。
【図２９】前足部領域の下でソール内に延びる横方向の穴の中に挿入できるケーブル・ブリッジを示す図（左側の上面図および右側の側面図）である。
【図３０】図２９のケーブル・ブリッジを示す斜視図である。
【図３１】図３０のケーブル・ブリッジの機能を概略的に示す図である。
【図３２】ケーブル引張システムの機能を示す別の概略図である。
【図３３】外側ブーツ・シェル内に非対称のフレックス・カットを有するブーツをはいたスキーヤの足を示す正面図である。
【図３４】図３３のフレックス・カットをさらに詳細に示す図である。
【図３５】その中に挿入したフレックス・カット調節または閉塞手段を有する足の甲部分内の横方向のフレックス・カットを備えたスキー・ブーツの内面（内側）を示す図である。
【図３６】図３５のスキー・ブーツの横面（外側）を示す図である。
【図３７】保持プレートの形状のフレックス・カット調節または閉塞手段の一実施形態を示す図である。
【図３８】フレックス・カットおよび２つの異なる位置（ａおよびｂ）に挿入した保持プレートを示す部分斜視図である。
【図３９】フレックス・カットの開口の範囲を制限する手段を備えた足の甲部分を示す斜視図である。
【図４０】図３９の制限手段の横の構成を示す図である。
【図４１】ブリッジの前にある制限手段が外側シェルに直接成形されている外側ブーツ・シェルの一実施形態を示す図である。
【図４２】回転および開ける力が横方向のブリッジによって制限される方法を示す図である。
【図４３】前方への曲げ力を加えた場合の外側ブーツ・シェルを示す図である。
【図４４】曲げた場合に制御された変形を可能にするしわを備えた補強ひもを使用しているブリッジの一実施形態を示す図である。
【図４５】前および後シェル部分を互いに対して曲げた場合の図４４の実施形態を示す図である。
【図４６】図４４および４５で示した横方向のひもシステムを備えた、図１および２で示した３つのバックルのブーツのモデルを示す図である。
【図４７】ソールの中足骨部に一体化されたいわゆるねじりボックス・システムを備えたスキー・ブーツのさらなる実施形態を概略的に示す図である。
【図４８】図４７のねじりボックス・システムを示す別の斜視図からの図である。
【図４９】図４７のブーツの長手方向の断面を概略的に示す図である。
【図５０】動的力を加えた後の図４９のスキー・ブーツを示す図である。
【図５１】上部（近位）のソール表面上に気泡緩衝材を備えたねじりボックス・システムの別の実施形態を示す図である。
【図５２】可撓性の上層、および曲げることができない本質的に非可撓性の遠位層または表面を備えたねじりボックスの別の実施形態を示す図である。
【図５３】後シェル部分を前シェル部分に対して回転させた場合の図５２の実施形態を示す図である。
【図５４】スキー板、スキー・ブーツ、および前部と後部のビンディング部品の間でスキー板上に取付けられたリーフタイプ・スプリングを有するスキー・ビンディング・セットを示す図である。
【図５５】比較的短いリーフタイプ・サスペンション要素を備えた図５４のセットを示す図である。
【図５６】内側ブーツの一実施形態を示す図である。
【符号の説明】
【００６９】
１１  スキー・ブーツ
１３  ソール
１５  弾性ゾーン
１７  後ソール部分
１９  前ソール部分
２１  後シェル部分
２３  かかと部
２５  シャフト
２６  結果の垂直の力の要素を示す矢印
２７  前シェル部分
２９  中間シェル部分（または足の甲部分）
３１  開口
３３  開口３１の縁部３３
３４  中足骨領域の横方向軸
３５  開口を覆う弾性（ゴム製）カバー
３６  弾性ゴムを締結するためのリベット
３７  カフ
３８  バックル・ベース・プレート
３９  くるぶし部固定および取付け手段（くるぶし部ストラップ）
４０、４２  内側および横の後側シェル部分
４１  第１のすねまたは骨幹部締付けおよび取付け手段（第１または頂部パワー・ストラップ）
４３  第２のすねまたは骨幹部締付けおよび取付け手段（第２のパワー・ストラップ）
４４  第３のすねまたは骨幹部締付けおよび取付け手段（第３のパワー・ストラップ）
４５  足部ストラップ
４６  カフを固定するためのリベット
４７  第４の実施形態の開放シェル
４９  内側ブーツ
５０  外側ブーツ・シャフトのスポイラ
５１  シャフト縁部
５３  バックル
５５  ラチェット・バックル
５７  Ｖｅｌｃｒｏ締結手段
５９  空洞
６１  プラスチック製プレート
６３  補強体
６５  リーフ・スプリング
６７  凹形表面
６９  ボルト
７１  ねじ
７３  スナップ嵌めシステム
７５ａ、７５ｂ  ノッチ
７７  内側シェル・フレーム
７９  くるぶし部スポイラ
８１  前足部領域内の内側凹形のソール
８３ａ、８３ｂ  側壁
８５  波形
８７  ビーム
８９  溝形カット
９１  フレックス・カット９１（弾性ゾーンの上方の外側ブーツ・シェル内の横方向のスリット）
９３  金属または合成のロッド
９５  事前成形スロット
９７  つま先部ウォーキング・プレート
９９  かかと部ウォーキング・プレート
１０１  成形きのこ形部
１０３ａ、１０３ｂ  案内溝
１０５ａ、１０５ｂ  ケーブル
１０７  引張案内部
１０９  ケーブル
１１１  ケーブル引張ブリッジ
１１３  スポイラの頂部の別の成形きのこ形部
１１５  スプール調節機構
１１７  カム・ロッド用チャネル
１２１  カム・ロッド
１２３ａ、１２３ｂ  カム・ロッドの溝
１２５  ケーブル１０５ａ、１０５ｂ、および１０９を引張するためのバックル
１２７  ブーツの長手方向軸
１２９  後ブーツ部分の横方向の偏倚を示す矢印
１３１  前部シェル・フラップ
１３３  後部シェル・フラップ
１３７  保持プレート
１３８  保持プレートから上向きに延びるプラグ
１３９  保持プレートの外側保持縁部
１４１  プラグ１３７用ねじ
１４３  前および後シェル部分を連結する連結手段
１４５  ひもを前および後シェル部分に連結するリベットまたはボルト
１４７  シェルのプラスチックに成形された一体型のブリッジ
１５１  ひも
１５２  ひもを締結するリベット
１５３  しわ
１５５  バックル・ベース・プレート
１５６  気泡緩衝材
１５７  ねじりボックス・システム
１５８  後部ビンディング
１５９  前部ビンディング
１６０  ビンディング・スペーサ
１６１  弾性またはばねを用いたサスペンション要素
１６２  弾性またはばねを用いたサスペンション要素用張力調節要素
１６３  リーフスプリング型サスペンション要素
１６４  サスペンション要素およびブーツ・ソール圧力分散プレート
１６５  リーフスプリング型取付けおよび調節プレート
１６９  それぞれ補強材料および部分
１７１  べろ
１７３  べろの補強材
１７５  内側ブーツ・シャフト
１７７  ストラップ
１７９  ストラップ案内部
【国際公開パンフレット】
2004527326.tif 000003
2004527326.tif 000004
2004527326.tif 000005
2004527326.tif 000006
2004527326.tif 000007
2004527326.tif 000008
2004527326.tif 000009
2004527326.tif 000010
2004527326.tif 000011
2004527326.tif 000012
2004527326.tif 000013
2004527326.tif 000014
2004527326.tif 000015
2004527326.tif 000016
2004527326.tif 000017
2004527326.tif 000018
2004527326.tif 000019
2004527326.tif 000020
2004527326.tif 000021
2004527326.tif 000022
2004527326.tif 000023
2004527326.tif 000024
2004527326.tif 000025
2004527326.tif 000026
2004527326.tif 000027
2004527326.tif 000028
2004527326.tif 000029
2004527326.tif 000030
2004527326.tif 000031
2004527326.tif 000032
2004527326.tif 000033
2004527326.tif 000034
2004527326.tif 000035
2004527326.tif 000036
2004527326.tif 000037
2004527326.tif 000038
2004527326.tif 000039
2004527326.tif 000040
2004527326.tif 000041
2004527326.tif 000042
2004527326.tif 000043
2004527326.tif 000044
2004527326.tif 000045
2004527326.tif 000046
2004527326.tif 000047
2004527326.tif 000048
2004527326.tif 000049
2004527326.tif 000050
2004527326.tif 000051
2004527326.tif 000052
2004527326.tif 000053
2004527326.tif 000054
2004527326.tif 000055
2004527326.tif 000056
2004527326.tif 000057
2004527326.tif 000058
2004527326.tif 000059
2004527326.tif 000060
2004527326.tif 000061
2004527326.tif 000062
2004527326.tif 000063
2004527326.tif 000064
2004527326.tif 000065
2004527326.tif 000066
2004527326.tif 000067
2004527326.tif 000068
2004527326.tif 000069
2004527326.tif 000070
2004527326.tif 000071
2004527326.tif 000072
2004527326.tif 000073
2004527326.tif 000074
2004527326.tif 000075
2004527326.tif 000076
2004527326.tif 000077
2004527326.tif 000078
2004527326.tif 000079
2004527326.tif 000080
2004527326.tif 000081
2004527326.tif 000082
2004527326.tif 000083
2004527326.tif 000084
2004527326.tif 000085
【国際調査報告】
2004527326.tif 000086
2004527326.tif 000087
2004527326.tif 000088